(57)【要約】      （修正有）【課題】角の形状を調節し易いコーナーパネル構造を提供する。【解決手段】本発明のコーナーパネル構造１０は、各々が板状をなし、互いの内面３ａ側で入隅部６が形成され、かつ互いの外面３ｂ側で出隅部７が形成されるように、互いの端縁同士が近付けられた状態で互いに交わる方向に配設される第１パネル部材３１及び第２パネル部材３２と、第１パネル部材３１と第２パネル部材３２とがなす角の形状を調節できるように、端縁同士の間を繋ぐ角調節部５とを備える。【選択図】図２
2016205733.tif 000002
【特許請求の範囲】
【請求項１】
各々が板状をなし、互いの内面側で入隅部が形成され、かつ互いの外面側で出隅部が形成されるように、互いの端縁同士が近付けられた状態で互いに交わる方向に配設される第１パネル部材及び第２パネル部材と、
前記第１パネル部材と前記第２パネル部材とがなす角の形状を調節できるように、前記端縁同士の間を繋ぐ角調節部とを備えるコーナーパネル構造。
【請求項２】
前記角調節部は、内側に前記端縁に沿った空間が形成されるように前記入隅部側から前記出隅部側に向ってはみ出した形をなす請求項１に記載のコーナーパネル構造。
【請求項３】
前記角調節部は、前記第１パネル部材の前記端縁と、前記第２パネル部材の前記端縁とに対して、それぞれ一体的に繋がった板状部が、内側に前記端縁に沿った空間が形成されるように前記入隅部側から前記出隅部側に向ってはみ出すように加工されたものからなる請求項２に記載のコーナーパネル構造。
【請求項４】
前記板状部は、前記入隅部側から前記出隅部側に向ってはみ出すように折り曲げられたものからなる請求項３に記載のコーナーパネル構造。
【請求項５】
前記板状部は、前記入隅部側から前記出隅部側に向ってはみ出すように膨出されたものからなる請求項３に記載のコーナーパネル構造。
【請求項６】
前記角調節部は、前記第１パネル部材の前記端縁に装着される第１装着部と、前記第２パネル部材の前記端縁に装着される第２装着部と、前記第１装着部と前記第２装着部との間を接続し、内側に前記端縁に沿った空間が形成されるように前記入隅部側から前記出隅部側に向ってはみ出した形をなし、弾性変形可能な接続部とを有する請求項２に記載のコーナーパネル構造。
【請求項７】
請求項１〜請求項６の何れか一項の記載のコーナーパネル構造を備える断熱箱体。
【発明の詳細な説明】
【技術分野】
【０００１】
本発明は、コーナーパネル構造、及びそれを備えた断熱箱体に関する。
【背景技術】
【０００２】
複数枚の断熱パネルを箱状に組み付けることで形成されるプレハブ式冷蔵庫が知られている。この種の冷蔵庫は、組み立て前の状態で目的地まで搬送され、その目的地において、箱状に組み立てられる。なお、このような冷蔵庫では、周壁の角部を構成する断熱パネルとして、Ｌ字状のコーナーパネルが利用されている。
【０００３】
特許文献１には、コーナーパネルの一例として、略直角に折り曲げ加工された一枚のパネル部材（面材）と、そのパネル部材の表面に形成されている断熱材層とを備えるものが記載されている。
【先行技術文献】
【特許文献】
【０００４】
【特許文献１】特開平６−２６４５５５号公報
【発明の概要】
【発明が解決しようとする課題】
【０００５】
プレハブ式冷蔵庫で利用されるコーナーパネルは、組み立て前の状態において、製造条件や保管状態等の影響により、角部の角度が所定の角度（例えば、９０°）に保たれていない場合がある。そのような場合、プレハブ式冷蔵庫の組み立て時に、作業者が適宜、外力を加える等して、コーナーパネルの角部の角度が適宜、調節されている。
【０００６】
しかしながら、コーナーパネルの角部が、上述したような、一枚のパネル部材が折り曲げ加工された部分を含む場合、角部の角度等を微調節しようとすると、角部が突っ張る等して変形させ難く、問題となっていた。
【０００７】
本発明の目的は、角の形状を調節し易いコーナーパネル構造、及びそれを備えた断熱箱体を提供することである。
【課題を解決するための手段】
【０００８】
本発明に係るコーナーパネル構造は、各々が板状をなし、互いの内面側で入隅部が形成され、かつ互いの外面側で出隅部が形成されるように、互いの端縁同士が近付けられた状態で互いに交わる方向に配設される第１パネル部材及び第２パネル部材と、前記第１パネル部材と前記第２パネル部材とがなす角の形状を調節できるように、前記端縁同士の間を繋ぐ角調節部とを備える。
【０００９】
前記コーナーパネル構造において、前記角調節部は、内側に前記端縁に沿った空間が形成されるように前記入隅部側から前記出隅部側に向ってはみ出した形をなすものであってもよい。
【００１０】
前記コーナーパネル構造において、前記角調節部は、前記第１パネル部材の前記端縁と、前記第２パネル部材の前記端縁とに対して、それぞれ一体的に繋がった板状部が、内側に前記端縁に沿った空間が形成されるように前記入隅部側から前記出隅部側に向ってはみ出すように加工されたものであってもよい。
【００１１】
前記コーナーパネル構造において、前記板状部は、前記入隅部側から前記出隅部側に向ってはみ出すように折り曲げられたものであってもよい。
【００１２】
前記コーナーパネル構造において、前記板状部は、前記入隅部側から前記出隅部側に向ってはみ出すように膨出されたものであってもよい。
【００１３】
前記コーナーパネル構造において、前記角調節部は、前記第１パネル部材の前記端縁に装着される第１装着部と、前記第２パネル部材の前記端縁に装着される第２装着部と、前記第１装着部と前記第２装着部との間を接続し、内側に前記端縁に沿った空間が形成されるように前記入隅部側から前記出隅部側に向ってはみ出した形をなし、弾性変形可能な接続部とを有するものであってもよい。
【００１４】
また、本発明に係る断熱箱体は、前記コーナーパネル構造を備える。
【発明の効果】
【００１５】
本発明によれば、角の形状を調節し易いコーナーパネル構造、及びそれを備えた断熱箱体を提供することができる。
【図面の簡単な説明】
【００１６】
【図１】本発明の実施形態１に係るコーナーパネル構造が適用されたプレハブ式冷蔵庫の冷蔵庫本体の斜視図
【図２】図１に示されるコーナーパネル構造の拡大図
【図３】図２に示される円内部分の拡大図
【図４】コーナーパネル構造を形成するためのパネル部材を模式的に表した説明図
【図５】実施形態２のコーナーパネル構造の説明図
【図６】実施形態２のコーナーパネル構造を形成するためのパネル部材を模式的に表した説明図
【図７】実施形態３のコーナーパネル構造の説明図
【発明を実施するための形態】
【００１７】
＜実施形態１＞
以下、本発明の実施形態１を図１〜図４を参照しつつ説明する。本実施形態では、プレハブ式冷蔵庫の冷蔵庫本体（断熱箱体）１に適用されるコーナーパネル構造１０を備えたコーナーパネル２０について説明する。
【００１８】
図１は、本発明の実施形態１に係るコーナーパネル構造が適用されたプレハブ式冷蔵庫の冷蔵庫本体（断熱箱体）１の斜視図である。冷蔵庫本体１は、図１に示されるように、複数の断熱パネルを組み付けることで矩形箱形に形成され、前面壁に開口された出入口１１に、断熱扉１２が揺動開閉可能に装着されている。断熱パネルとしては例えば、二枚ずつのルーフパネル１５とベースパネル１６、左右両側面及び後面に配されるサイドパネル１７、出入口１１の周縁部を構成するフレームパネル１８，１９、及び周壁の四つ角（四隅）に配される４枚のコーナーパネル２０が備えられている。
【００１９】
コーナーパネル２０は、全体的には、上下方向に延びつつ、断面視略Ｌ字状に折れ曲がった板状部材からなる。このようなコーナーパネル２０は、複数の合成樹脂（硬質樹脂）製の構成部材を組み付けて形成された外殻２０Ａ内に、発泡樹脂からなる断熱材４が発泡充填されて成形されたものからなる。外殻２０Ａは、主として、冷蔵庫本体（断熱箱体）１の外壁を構成する断面視略Ｌ字状の外壁材２と、冷蔵庫本体（断熱箱体）１の内壁を構成する断面視略Ｌ字状の内壁材３とを備えている。断熱材４は、外壁材２と内壁材３との間に、それらに挟まれる形で介在されている。
【００２０】
コーナーパネル２０は、内壁材３の角部（隅部）に、以下に示されるコーナーパネル構造１０が適用されているため、角部が変形しても、その形状を容易に微調節して本来の形に矯正することができる。
【００２１】
以下、内壁材３の角部（隅部）に適用されているコーナーパネル構造１０について、図２〜図４を参照しつつ詳細に説明する。
【００２２】
図２は、図１に示されるコーナーパネル構造１０の拡大図であり、図３は、図２に示される円内部分の拡大図である。図２には、冷蔵庫本体（断熱箱体）１の右前側の角を構成するコーナーパネルに適用されたコーナーパネル構造１０が示されている。図２の上下方向が、正面から見た冷蔵庫本体（断熱箱体）１の左右方向に対応し、図２の左右方向が、冷蔵庫本体（断熱箱体）１の前後方向に対応する。
【００２３】
コーナーパネル構造１０は、第１パネル部材３１と、第２パネル部材３２と、第１パネル部材３１と第２パネル部材３２とを繋ぐ角調節部５とを備えている。
【００２４】
第１パネル部材３１及び第２パネル部材３２は、それぞれ、内壁材３を構成する板状のパネル部材（面材）の一部分である。第１パネル部材３１と第２パネル部材３２は、互いに垂直に交わる方向に配設されている。
【００２５】
そして、第１パネル部材３１の端部（端縁）３１ａと、第２パネル部材３２の端部（端縁）３２ａとは、角部を構成するために、互いに近付けられた状態となっている。端部（端縁）３１ａ及び端部（端縁）３２ａは、互いに平行に並ぶ形で内壁材３（断熱箱体１）の上下方向に沿って延びた形状をなしている。
【００２６】
なお、第１パネル部材３１及び第２パネル部材３２は、互いに交わる方向に配設された各内面３ａによって入隅部６を形成すると共に、互いに交わる方向に配設された各外面３ｂによって出隅部７を形成している。第１パネル部材３１及び第２パネル部材３２の各内面３ａは、内壁材３の内面を形成し、第１パネル部材３１及び第２パネル部材３２の各外面３ｂは、断熱材４と接触している。
【００２７】
角調節部５は、第１パネル部材３１と第２パネル部材３２とがなす角の形状（例えば、第１パネル部材３１と第２パネル部材３２とがなす角の大きさ、前記端部３１ａ，３２ａ同士の間の距離）を調節できるように、端部３１ａ，３２ａ同士の間を繋ぐものからなる。
【００２８】
本実施形態の場合、角調節部５は、第１パネル部材３１の端部（端縁）３１ａと、第２パネル部材３２の端部（端縁）３２ａとに対して、それぞれ一体的に繋がった板状部５０からなる。このような第１パネル部材３１、角調節部５及び第２パネル部材３２は、１つ（１枚）のパネル部材（面材）３０が所定形状に加工されたものからなる。図４は、コーナーパネル構造１０を形成するためのパネル部材３０を模式的に表した説明図である。
【００２９】
角調節部５は、第１パネル部材３１の端部３１ａ及び第２パネル部材３２の端部３２ａに沿った空間５３が内側に形成されるように、入隅部６側から出隅部７側に向ってはみ出した形をなしている。特に、本実施形態の角調節部５は、板状部５０が、入隅部６側から出隅部７側に向ってはみ出すように、二つ折り（山折り）される形で折り曲げ加工されたものからなる。このような角調節部５は、第１パネル部材３１の端部３１ａ側に配される第１側板状部５１と、第２パネル部材３２の端部３２ａ側に配される第２側板状部５２とからなる。
【００３０】
第１側板状部５１と第２側板状部５２との間（内側）には、上述したように、第１パネル部材３１の端部３１ａ及び第２パネル部材３２の端部３２ａに沿った空間５３が形成されている。第１パネル部材３１の端部３１ａと、第２パネル部材３２の端部３２ａとが互いに近付くように、第１パネル部材３１と第２パネル部材３２との配置関係が調節されると、角調節部５を構成する第１側板状部５１及び第２側板状部５２は、前記空間５３が小さくなるように互いに近付く形で、角調節部５の形状が変化（変形）する。
【００３１】
これに対し、第１パネル部材３１の端部３１ａと、第２パネル部材３２の端部３２ａとが互いに離れるように、第１パネル部材３１と第２パネル部材３２との配置関係が調節されると、角調節部５を構成する第１側板状部５１及び第２側板状部５２は、前記空間５３が大きくなるように互いに離れる形で、角調節部５の形状が変化（変形）する。
【００３２】
また、第１パネル部材３１と第２パネル部材３２とがなす角（入隅部、出隅部）の大きさが変化すると、第１パネル部材３１と第１側板状部５１とがなす角、第２パネル部材３２と第２側板状部５２とがなす角、又は第１側板状部５１と第２側板状部５２とがなす角等が変化するように、角調節部５の形状が変化（変形）する。
【００３３】
このように角調節部５は、自身の形状を変形させることにより、第１パネル部材３１と第２パネル部材３２とがなす角の形状を調節することができる。
【００３４】
コーナーパネル構造１０は、図４に示されるように、予め山折り状に折り曲げられている板状部５０の第１側板状部５１及び第２側板状部５２が、更に折り曲げられるように、第１パネル部材３１と第２パネル部材３２とが互いに垂直に交わるように近付けられる。すると、図２に示されるような形状のコーナーパネル構造１０が形成される。
【００３５】
このようなコーナーパネル構造１０を備えたコーナーパネル２０を、プレハブ式冷蔵庫に利用すると、プレハブ式冷蔵庫の組み立て時に、作業者が適宜、外力を加える等して、コーナーパネル１０の角部（特に、内壁材３の角部）の角度を容易に調節することができる。コーナーパネル構造１０の角部（内壁材３の角部）は、断熱材４に対して突っ張る等の不具合を生じることなく、容易に角度等の形状を変えることができる。
【００３６】
このように、本実施形態のコーナーパネル構造１０は、角（角部）の形状を微調整し易くなっている。
【００３７】
＜実施形態２＞
次いで、本発明の実施形態２を、図５及び図６を参照しつつ説明する。図５は、実施形態２のコーナーパネル構造１０Ａの説明図であり、図６は、実施形態２のコーナーパネル構造１０Ａを形成するためのパネル部材３０Ａを模式的に表した説明図である。
【００３８】
本実施形態のコーナーパネル構造１０Ａは、実施形態１と同様、プレハブ式冷蔵庫のコーナーパネルの内壁材３Ａの角部に形成されるものである。コーナーパネル構造１０Ａは、第１パネル部材３１Ａと、第２パネル部材３２Ａと、角調節部５Ａとを備えている。第１パネル部材３１Ａ及び第２パネル部材３２Ａは、それぞれ実施形態１の第１パネル部材３１及び第２パネル部材３２と同様の構成からなる。また、第１パネル部材３１Ａ及び第２パネル部材３２Ａの各内面３Ａａにより、入隅部６Ａが形成され、第１パネル部材３１Ａ及び第２パネル部材３２Ａの各外面３Ａｂにより、出隅部７Ａが形成される。
【００３９】
角調節部５Ａは、第１パネル部材３１Ａと第２パネル部材３２Ａとがなす角の形状（例えば、第１パネル部材３１Ａと第２パネル部材３２Ａとがなす角の大きさ、前記端部３１Ａａ，３２Ａａ同士の間の距離）を調節できるように、端部３１Ａａ，３２Ａａ同士の間を繋ぐものからなる。
【００４０】
本実施形態の場合、角調節部５は、第１パネル部材３１の端部（端縁）３１ａと、第２パネル部材３２の端部（端縁）３２ａとに対して、それぞれ一体的に繋がった断面視円弧状の板状部５０Ａからなる。このような第１パネル部材３１Ａ、角調節部５Ａ及び第２パネル部材３２Ａは、１つ（１枚）のパネル部材（面材）３０Ａが所定形状に加工されたものからなる。
【００４１】
角調節部５Ａは、第１パネル部材３１Ａの端部３１Ａａ及び第２パネル部材３２Ａの端部３２Ａａに沿った空間５３Ａが内側に形成されるように、入隅部６側から出隅部７側に向ってはみ出した形をなしている。特に、本実施形態の角調節部５Ａは、板状部５０Ａが、入隅部６側から出隅部７側に向ってはみ出すように、断面視円弧状に膨出される形で加工されたものからなる。
【００４２】
断面視円弧状に板状部５０Ａが膨出されてなる角調節部５Ａの内側には、上述したように、第１パネル部材３１Ａの端部３１Ａａ及び第２パネル部材３２Ａの端部３２Ａａに沿った空間５３Ａが形成されている。第１パネル部材３１Ａの端部３１Ａａと、第２パネル部材３２Ａの端部３２Ａａとが互いに近付くように、第１パネル部材３１Ａと第２パネル部材３２Ａとの配置関係が調節されると、前記空間５３Ａが小さくなるように、角調節部５Ａの形状が変化（変形）する。
【００４３】
これに対し、第１パネル部材３１Ａの端部３１Ａａと、第２パネル部材３２Ａの端部３２Ａａとが互いに離れるように、第１パネル部材３１Ａと第２パネル部材３２Ａとの配置関係が調節されると、前記空間５３Ａが大きくなるように、角調節部５Ａの形状が変化（変形）する。
【００４４】
また、第１パネル部材３１Ａと第２パネル部材３２Ａとがなす角（入隅部６Ａ、出隅部７Ａ）の大きさが変化すると、それに合わせて、角調節部５Ａの形状が変化（変形）する。
【００４５】
このように角調節部５Ａは、実施形態１と同様、自身の形状を変形させることにより、第１パネル部材３１Ａと第２パネル部材３２Ａとがなす角の形状を調節することができる。
【００４６】
なお、コーナーパネル構造１０Ａは、図６に示されるように、予め膨出するように楕円弧状に加工されている板状部５０Ａが、更に円弧状となるように、第１パネル部材３１Ａと第２パネル部材３２Ａとが互いに垂直に交わるように近付けられる。すると、図５に示されるような形状のコーナーパネル構造１０Ａが形成される。
【００４７】
＜実施形態３＞
次いで、本発明の実施形態３を、図７を参照しつつ説明する。図７は、実施形態３のコーナーパネル構造１０Ｂの説明図である。
【００４８】
本実施形態のコーナーパネル構造１０Ｂは、実施形態１と同様、プレハブ式冷蔵庫のコーナーパネルの内壁材３Ｂの角部に形成されるものであり、第１パネル部材３１Ｂと、第２パネル部材３２Ｂと、角調節部５Ｂとを備えている。ただし、本実施形態のコーナーパネル構造１０Ｂは、上記実施形態１とは異なり、角調節部５Ｂが、第１パネル部材３１Ｂ及び第２パネル部材３２Ｂとは別体（別部品）構成となっている。
【００４９】
また、第１パネル部材３１Ｂ及び第２パネル部材３２Ｂについては、基本的に、それぞれ実施形態１の第１パネル部材３１及び第２パネル部材３２と同様の構成からなる。ただし、第１パネル部材３１Ｂ及び第２パネル部材３２Ｂは、角部において直接、繋がっておらず、角調節部５Ｂを介して繋がっている。
【００５０】
なお、本実施形態においても、第１パネル部材３１Ｂ及び第２パネル部材３２Ｂの各内面３Ｂａにより、入隅部６Ｂが形成され、第１パネル部材３１Ｂ及び第２パネル部材３２Ｂの各外面３Ｂｂにより、出隅部７Ｂが形成される。
【００５１】
角調節部５Ｂは、第１パネル部材３１Ｂと第２パネル部材３２Ｂとがなす角の形状（例えば、第１パネル部材３１Ｂと第２パネル部材３２Ｂとがなす角の大きさ、前記端部３１Ｂａ，３２Ｂａ同士の間の距離）を調節できるように、端部３１Ｂａ，３２Ｂａ同士の間を繋ぐものからなる。
【００５２】
本実施形態の場合、角調節部５は、第１パネル部材３１Ｂの端縁３１Ｂａに装着される第１装着部５４と、第２パネル部材３２Ｂの端縁３２Ｂａに装着される第２装着部５５と、第１装着部５４と第２装着部５５との間を接続し、内側に端縁３１Ｂａ，３２Ｂａに沿った空間５３Ｂが形成されるように入隅部６Ｂ側から出隅部７Ｂ側に向ってはみ出した形をなし、弾性変形可能な接続部５６とを備えている。
【００５３】
なお、第１パネル部材３１Ｂの端部（端縁）３１Ｂａは、第１パネル部材３１Ｂの外面３Ｂａから外側に向かって立ち上がった形をなしている。また同様に、第２パネル部材３２Ｂの端部（端縁）３１Ｂａについても、第２パネル部材３２Ｂの外面３Ｂａから外側に向かって立ち上がった形をなしている。このように立ち上がった各端部３１Ｂａ，３２Ｂａが、凹溝状の第１装着部５４及び第２装着部５５にそれぞれ挿し込まれる形で、第１装着部５４及び第２装着部５５が、各端部３１Ｂａ，３２Ｂａに取り付けられる。
【００５４】
接続部５６は、入隅部６Ｂ側から出隅部７Ｂ側に向ってはみ出すように膨出したような断面視円弧状をなしている。
【００５５】
角調節部５Ｂは、合成樹脂の射出成形品からなり、弾性変形可能である。そのため、断面視円弧状の接続部５６は、縮むように、又は広がるように変形することができる。角調節部５Ｂは、内壁材３Ｂの上下方向（コーナーパネルの長手方向）に沿って長く延びた形をなしている。
【００５６】
第１装着部５４と第２装着部５５との間、及び接続部５６の内部に連なる形で、上記空間５３Ｂが形成されている。第１パネル部材３１Ｂの端部３１Ｂａと、第２パネル部材３２Ｂの端部３２Ｂａとが互いに近付くように、第１パネル部材３１Ｂと第２パネル部材３２Ｂとの配置関係が調節されると、前記空間５３Ｂが小さくなるように、角調節部５Ｂの形状が変化（変形）する。
【００５７】
これに対し、第１パネル部材３１Ｂの端部３１Ｂａと、第２パネル部材３２Ｂの端部３２Ｂａとが互いに離れるように、第１パネル部材３１Ｂと第２パネル部材３２Ｂとの配置関係が調節されると、前記空間５３Ｂが大きくなるように、角調節部５Ｂの形状が変化（変形）する。
【００５８】
また、第１パネル部材３１Ｂと第２パネル部材３２Ｂとがなす角（入隅部６Ｂ、出隅部７Ｂ）の大きさが変化すると、それに合わせて、角調節部５Ｂの形状が変化（変形）する。
【００５９】
このように角調節部５Ｂは、実施形態１と同様、自身の形状を変形させることにより、第１パネル部材３１Ｂと第２パネル部材３２Ｂとがなす角の形状を調節することができる。
【００６０】
このように、角調節部５Ｂを、第１パネル部材３１Ｂ及び第２パネル部材３２Ｂとは別体で構成してもよい。このように角調節部５Ｂを別体とすることにより、コーナーパネル構造１０Ｂ（コーナーパネル）を組み立て易くなる。なお、角調節部５Ｂの第１パネル部材３１Ｂ及び第２パネル部材３２Ｂに対する装着部分には、適宜、コーキング処理等が施されてもよい。
【００６１】
＜他の実施形態＞
本発明は上記記述及び図面によって説明した実施形態に限定されるものではなく、例えば次のような実施形態も本発明の技術的範囲に含まれる。
【００６２】
（１）上記実施形態１等では、プレハブ式冷蔵庫の冷蔵庫本体（断熱箱体）におけるコーナーパネルの内壁材３において、コーナーパネル構造１０が適用されていたが、本発明はこれに限られず、例えば、外壁材２の隅部（角部）に対して適用されてもよいし、プレハブ式冷蔵庫以外の他の収納庫における隅部（角部）に対して適用されてもよい。
【００６３】
（２）上記実施形態１等では、すべて同じ構成のコーナーパネル構造が、プレハブ式冷蔵庫の冷蔵庫本体（断熱箱体）におけるコーナーパネルの内壁材３に適用されていたが、本発明はこれに限られず、例えば、１つの冷蔵庫本体（断熱箱体）において、実施形態１のコーナーパネル構造と、実施形態２又は実施形態３のコーナーパネル構造とを組み合わせて用いてもよい。
【符号の説明】
【００６４】
１…断熱箱体、２…外壁材、３…内壁材、３ａ…内壁材の内面、３ｂ…内壁材の外面、１０…コーナーパネル構造、２０…コーナーパネル、３０…パネル部材、３１…第１パネル部材、３２…第２パネル部材、５…角調節部、６…入隅部、７…出隅部、５０…板状部、５１…第１側板状部、５２…第２側板状部、５３…隙間（空間）
【図１】
2016205733.tif 000003
【図２】
2016205733.tif 000004
【図３】
2016205733.tif 000005
【図４】
2016205733.tif 000006
【図５】
2016205733.tif 000007
【図６】
2016205733.tif 000008
【図７】
2016205733.tif 000009